(57)【特許請求の範囲】
【請求項１】
内部に室外に臨む外面から室内に臨む内面まで貫通する換気通路が形成され、かつ上記外面すなわち室外側の端部における長手方向及び室内外方向の何れとも直交する一方向の一側部に設けられた室外側の挟持板部を有し、かつ上記室外側の端部における上記一方向の前記一側部とは反対側の他側部が扉又は窓の框に支持され、かつ上記長手方向に延び、かつ上記内面すなわち室内側の端部と上記室外側の端部とが上記室内外方向に離れている装置本体と、
この装置本体の上記室内側の端部における上記一方向の一側部に設けられて上記室外側の挟持板部との間に板ガラスを挟み付ける室内側の挟持板部とを備え、
上記室内側の挟持板部が、上記装置本体に対して上記室内外方向に沿って室内側から室外側へ向かって接近されることによって上記装置本体に回転不能及び上記一方向へ抜け出し不能に装着可能、かつ上記装置本体から上記室内外方向の室内側へ向かって離間されることによって上記装置本体の上記框への支持状態を保ったまま上記装置本体ひいては上記框から取り外し可能な押縁であり、
上記押縁に、上記装置本体の上記一方向の他側部に向かって突出し、上記装置本体の上記内面を覆う化粧板部が上記押縁と一体に設けられていることを特徴とする換気装置。
【請求項２】
上記装置本体の上記内面と上記化粧板部との間に、上記換気通路に連通し、かつ外部に対して密封された空気室が形成され、上記化粧板部に上記空気室を上記室内に連通する貫通孔が形成されていることを特徴とする請求項１に記載の換気装置。
【請求項３】
上記長手方向及び上記室内外方向が互いに直交する水平方向へ向けられ、上記一方向が上下方向へ向けられており、
上記押縁が、上記装置本体に対し室内側から室外側へ向かって上記室内外方向に沿う水平方向へ接近されることによって回転及び昇降されることなく上記装置本体に装着可能であり、上記装置本体から室内側へ向かって上記室内外方向に沿う水平方向へ離間されることによって回転及び昇降されることなく上記装置本体から取り外し可能であることを特徴とする請求項１又は２に記載の換気装置。
【発明の詳細な説明】
【技術分野】
【０００１】
この発明は、扉や窓の框の一部としての機能を有する換気装置に関する。
【背景技術】
【０００２】
一般に、窓孔を有する扉は、水平に配置された上下の框と、この上下の框の一端部間と他端部間とにそれぞれ配置された左右の縦框とを有しており、上下左右の框によって構成される窓孔に板ガラスが装着される。
【０００３】
このような構成の扉に用いられる換気装置は、下記特許文献１に記載されているように、装置本体を有している。装置本体は、扉の窓孔の上端部に配置され、上框の下面に取り付けられる。装置本体の下端部には一対の挟持板部が設けられている。この一対の挟持板部は、板ガラスの上端部を挟持する。これにより、板ガラスの上端部が装置本体に固定され、ひいては上框に固定されている。
【０００４】
このような構成の換気装置において、例えば板ガラスの交換のために板ガラスを扉から取り外す場合には、換気装置を扉から取り外さなければならない。このため、板ガラスの交換に多大の手間を要するという問題があった。
【先行技術文献】
【特許文献】
【０００５】
【特許文献１】特開２０００−１３００４２号公報
【発明の概要】
【発明が解決しようとする課題】
【０００６】
そこで、最近の換気装置では、装置本体の下部に押縁を着脱可能に設けたものが提案されている。押縁は、一対の挟持板部のうちの室内側の挟持板部に代わるものであり、室外側の挟持板部と協働して板ガラスの上端部を挟持固定する。しかも、押縁が装置本体に着脱可能に設けられているので、押縁を取り外すだけで板ガラスを取り外すことができ、装置本体を取り外す必要がない。したがって、板ガラスの交換を容易に行うことができる。
しかしながら、押縁を装置本体に着脱可能に設けた換気装置においては、装置本体と押縁とが別体であるため、押縁の上端面とこれに対向する装置本体の下端面との間に隙間が生じる。この隙間は、装置本体の左右方向の一端から他端まで延びる線となって室内から目視される。しかも、隙間の幅が比較的広い。このため、換気装置の美観が損なわれるという問題があった。また、装置本体と押縁との間には、清掃時の水が入り込むおそれがある。一旦、隙間に水が入り込むと、隙間の内部カビが発生する。隙間に発生したカビは、除去が困難であり、除去に多大の手間を要するという問題があった。さらに、カビが室内から目視されるため、換気装置の美観がより一層損なわれるという問題があった。
【課題を解決するための手段】
【０００７】
この発明は、上記の問題を解決するためになされたもので、内部に室外に臨む外面から室内に臨む内面まで貫通する換気通路が形成された装置本体と、この装置本体の室内側の端部に押縁が設けられた換気装置において、上記押縁の上端部に上記装置本体の室内に臨む内面を覆う化粧板部が上記押縁と一体に設けられていることを特徴としている。
この場合、上記装置本体の内面と上記化粧板部との間に、上記換気通路に連通し、かつ外部に対して密封された空気室が形成され、上記化粧板部に上記空気室を上記室内に連通する貫通孔が形成されていることが望ましい。
上記押縁が、上記装置本体に対し室内側から室外側へ向かって水平方向へ接近させることによって上記装置本体に装着可能であり、上記装置本体から室内側へ向かって水平方向へ離間させることによって上記装置本体から取り外し可能であることが望ましい。
【発明の効果】
【０００８】
上記特徴構成を有するこの発明によれば、装置本体が押縁の化粧板部によって覆われているから、装置本体と押縁との間に隙間があったとしても、その隙間が室内から目視されることがない。したがって、換気装置の美観を向上させることができる。しかも、清掃時の水が装置本体と押縁との間に入り込むことがないので、カビの発生を防止することができる。したがって、カビの除去に要する手間を無くすことができるのみならず、換気装置の美観の低下をより一層確実に防止することができる。さらに、押縁を模様や色彩が異なる他の押縁と交換することにより、換気装置の室内に臨む面の模様や色彩を変えることができる。
【図面の簡単な説明】
【０００９】
【図１】図１は、この発明に係る換気装置が用いられた扉を室内側から見た正面図である。
【図２】図２は、図１のＡ−Ａ線に沿う一部省略拡大断面図である。
【図３】図３は、図１のＢ−Ｂ線に沿う拡大断面図である。
【図４】図４は、縦押縁の取付方法を説明するための図３と同様の断面図である。
【図５】図５は、図１のＣ−Ｃ線に沿う拡大断面図である。
【図６】図６は、図１のＤ−Ｄ線に沿う拡大断面図である。
【図７】図７は、この発明に係る換気装置の第１実施の形態を示す正面図である。
【図８】図８は、同実施の形態のスペーサを省略して示す正面図である。
【図９】図９は、同実施の形態のスペーサ及び押縁を省略して示す正面図である。
【図１０】図１０は、図７のＸ−Ｘ線に沿う一部省略拡大断面図である。
【図１１】図１１は、図７のＹ−Ｙ線に沿う拡大断面図である。
【図１２】図１２は、押縁の装置本体への取付方法説明するための図１０と同様の断面図である。
【図１３】図１３は、図９のＸ−Ｘ線に沿う拡大断面図である。
【図１４】図１４は、同実施の形態において用いられているスペーサの斜視図である。
【図１５】図１５は、同スペーサの正面図である。
【図１６】図１６は、同スペーサの平面図である。
【図１７】図１７は、同スペーサの底面図である。
【図１８】図１８は、同スペーサの右側面図である。
【図１９】図１９は、同スペーサの左側面図であって、同スペーサの装置本体への取り付け状態を示すために装置本体の断面が想像線で記載されている。
【図２０】図２０は、この発明に係る換気装置を扉に取り付けるための全工程のうちの上押縁取付工程を説明するための図である。
【図２１】図２１は、押縁を装置本体に取り付ける前の状態で示す図２０のＸ−Ｘ線に沿う拡大断面図である。
【図２２】図２２、押縁を装置本体に取り付けた後の状態で示す図２０のＸ−Ｘ線に沿う拡大断面図である。
【図２３】図２３は、図２０のＹ−Ｙ線に沿う拡大断面図である。
【図２４】図２４は、図２０のＺ−Ｚ線に沿う拡大断面図である。
【図２５】図２５は、この発明に係る換気装置を扉に取り付けるための全工程のうちの装置本体取付工程を説明するための図である。
【図２６】図２６は、図２５のＸ−Ｘ線に沿う拡大断面図である。
【図２７】図２７は、この発明に係る換気装置を扉に取り付けるための全工程のうちの押縁、一対の縦押縁及び下押縁の取付工程を説明するための図である。
【図２８】図２８は、この発明に係る換気装置を扉に取り付けるための全工程のうちのスペーサ取付工程を説明するための図である。
【図２９】図２９は、この発明に係る換気装置を扉に取り付けるための全工程のうちの後付けビード取付工程を説明するための図である。
【図３０】図３０は、この発明に係る換気装置の第２実施の形態を示す断面図である。
【図３１】図３１は、同実施の形態の押縁を装置本体に取り付ける方法を説明するための断面図である。
【図３２】図３２は、この発明に係る換気装置の第３実施の形態における押縁の装置本体への取付構造を示す断面図である。
【図３３】図３３は、この発明に係る換気装置の第４実施の形態における押縁の装置保内の取付構造を示す断面図である。
【発明を実施するための形態】
【００１０】
以下、この発明を実施するための最良の形態を、図面を参照して説明する。
図１は、この発明に係る換気装置１が用いられた扉１００を示す。まず、扉１００について説明すると、扉１００は、長手方向を左右方向に向けて水平に配置された上框１０１と、上框１００の下方にそれと平行に配置された下框１０２と、長手方向を上下方向に向けて配置され、上框１０１と下框１０２との左端部間及び右端部間にそれぞれ設けられた左縦框１０３及び右縦框１０４とを有している。そして、これらの框１０１〜１０４により、扉１００が上下に長い長方形の枠状に形成されている。また、左右の縦框１０３，１０４間には、中間框１０５が水平に掛け渡されている。これにより、扉１００の内部が上窓孔１０６と下窓孔１０７とに区分されている。
【００１１】
上窓孔１０６には、上複合板ガラス１１０が設けられている。上複合板ガラス１１０は、図２１及び図２２に示すように、室内外方向（図２１及び図２２において左右方向）に対向して配置された一対の板ガラス１１１，１１２と、この一対の板ガラス１１１，１１２間にそれぞれ配置されたスペーサ１１３及びシール部材１１４とによって構成されている。上複合板ガラス１１０に代えて、他の構成の複合板ガラスを用いてもよく、あるいは１枚の板ガラスを用いてもよい。上複合板ガラス１１０の上下左右の各端部は、上窓孔１０６に臨む上框１０１、中間框１０５（上複合ガラス１１０にとっては下框に相当）及び左右の縦框１０３，１０４と、それらの框１０１，１０５，１０３，１０４の室内Ｉ側部分にそれぞれ着脱可能に設けられた上押縁１３１，下押縁１３２，左押縁１３３及び右押縁１３４とによって挟持されている。なお、上複合板ガラス１１０の挟持構造は、周知であるとともに、この発明との関連性が低いのでその詳細な構造については説明を省略する。
【００１２】
一方、下窓孔１０７には、図１に示すように、この発明に係る換気装置１及び下複合板ガラス１２０が設けられている。換気装置１は、その長手方向を左右方向に向けて配置されており、中間框１０５の下面に沿って設けられている。一方、下複合板ガラス１２０は、換気装置１の下側に配置されている。
【００１３】
この発明の第１実施の形態たる換気装置１は、その上部が中間框１０５（換気装置１にとっては上框に相当）によって支持され、左右の両端部が左右の縦框１０３，１０４によって支持されている。換気装置１の支持構造の詳細については後述する。
【００１４】
下複合板ガラス１２０は、図２示すように、室内外方向（図２において左右方向）に対向して配置された一対の板ガラス１２１，１２２と、この一対の板ガラス１２１，１２２間にそれぞれ配置されたスペーサ１２３及びシール部材１２４と、室内Ｉ側の板ガラス１２２に紫外線カットフィルム等のフィルム１２５を介して貼り合わされた板ガラス１２６によって構成されている。下複合板ガラス１２０に代えて、他の構成の複合板ガラスを用いてもよく、あるいは１枚の板ガラスを用いてもよい。図１に示すように、下複合板ガラス１２０の上端部は、換気装置１によって支持されている。下複合板ガラス１２０の左右の両端部及び下端部は、左右の縦框１０３，１０４及び下框１０２によって支持されている。下複合板ガラス１２０の支持構造の詳細については後述する。
【００１５】
換気装置１は、図２及び図１０〜図１３に示すように、装置本体２を有している。装置本体２は、アルミニウム等の金属からなる複数の型材を組み合わせることにより、断面略四角形の中空体として構成されており、その長手方向を左右方向に向けて配置されている。しかも、装置本体２は、中間框１０５の下側にこれと平行に配置されている。
【００１６】
装置本体２は、室外Ｏに臨む外壁部２１Ａと、室内Ｉに臨む内壁部２１Ｂと、装置本体２の内部に設けられた隔壁部２１Ｃとを有している。隔壁部２１Ｃにより、装置本体２の内部空間が、室外Ｏ側の室外側空間２２Ａと室内I側の室内側空間２２Ｂとに二分されてい
る。隔壁部２１Ｃは、必ずしも形成する必要がない。隔壁部２１Ｃが形成されない場合には、装置本体２の内部に一つの空間だけが形成される。逆に、隔壁部２１Ｃを複数形成してもよい。
【００１７】
装置本体２の両端部には、蓋部材３がそれぞれ設けられている。この蓋部材３，３によって室外側空間２２Ａ及び室内側空間２２Ｂの両端部が閉じられている。この結果、室外側空間２２Ａ及び室内側空間２２Ｂが密閉空間になっている。蓋部材３．３は、室外側空間２２Ａ及び室内側空間２２Ｂの両端部を閉じるのみならず、後述するように、空気室２２Ｃの左右の両端部を閉じて空気室２２Ｃを密閉空間とし、さらに左右の縦框１０３，１０４及び左右の押縁１３３，１３４によって挟持され、それによって装置本体２の両端部が縦框１０３，１０４に支持されている。
【００１８】
図１１〜図１３に示すように、外壁部２１Ａには、貫通孔２１ａが形成されている。貫通孔２１ａは、長手方向を上下方向に向けた長孔状をなしており、装置本体２の長手方向に一列状に並んで多数形成されている。室外側空間２２Ａは、貫通孔２１ａを介して室外Ｏに連通されている。一方、内壁部２１Ｂには、図９及び図１１に示すように、多数の貫通孔２１ｂが形成されている。室内側空間２２Ｂは、室内Ｉに貫通孔２１ｂを介して連通されている。また、隔壁部２１Ｃには、図１１に示すように、多数の貫通孔２１ｃが形成されている。室外側空間２２Ａと室内側空間２２Ｂとが貫通孔２１ｃを介して連通されている。この結果、室外Ｏと室内Ｉとが、室外側空間２２Ａ及び室内側空間２２Ｂ並びに貫通孔２１ａ，２１ｂ，２１ｃを介して連通されている。これから明らかなように、室外側空間２２Ａ及び室内側空間２２Ｂ並びに貫通孔２１ａ，２１ｂ，２１ｃにより、室外Ｏと室内Ｉとを連通する換気通路２２が構成されている。そして、室内外の空気が換気通路２２を通って流通する。
【００１９】
図１１〜図１３に示すように、室外側空間２２Ａ内には、開閉部材４が設けられている。開閉部材４は、左右方向に長い長方形の板状をなしており、隔壁部２１Ｃと対向して配置されている。開閉部材４は、装置本体２に第１の位置と第２の位置との間を左右方向へ移動可能に支持されている。しかも、開閉部材４は、その下端部が室内外方向へ移動することができるよう、上端部が装置本体２に左右方向に延びる水平な軸線を中心として回転可能に支持されている。開閉部材４は、図１１において実線で示す閉位置と、想像線で示す開位置との間を回転可能である。開閉部材４は、左右方向において第１位置に位置すると、装置本体２と開閉部材４の下端部との間に設けられたカム機構５によって閉位置に回転させられる。開閉部材４が閉位置に回転すると、貫通孔２１ｃが開閉部材４によって閉じられる。この結果、換気通路２２が閉じられ、換気装置１が閉状態になる。開閉部材４は、第２の位置に移動すると、カム機構５によって開位置に回転させられる。開閉部材４が開位置に回転すると、開閉部材４が隔壁部２１Ｃから室外Ｏ側へ離間し、貫通孔２１ｃが開かれる。この結果、換気通路２２が開かれ、換気装置１が開状態になる。開閉部材４は、第１位置と第２位置との間の中間位置に移動すると、閉位置と開位置との間の半開位置に回転する。この結果、換気通路２２が半開状態になり、ひいては換気装置１が半開状態になる。
【００２０】
図７〜図１０に示すように、内壁部２１Ｂの右端部の上部には、当該部位を室内外方向へ貫通する操作窓孔２３が形成されている。この操作窓孔２３には、操作部材６が支持枠７を介して左右方向へ移動に設けられている。操作部材６は、開閉部材４に連結機構（図示せず）を介して連結されており、操作部材６が左右方向へ移動すると、それに連動して開閉部材４が左右方向へ移動する。したがって、操作部材６を左右方向へ移動させることによって開閉部材４を第１位置と第２位置との間を移動させることができ、それによって換気装置１を開状態、半開状態及び閉状態のいずれかに切り替えることができる。
【００２１】
換気通路２２を開閉するための開閉機構は、開閉部材４、カム機構５及び操作部材６の組み合わせに限定されるものでなく、他の公知の各種の開閉機構を採用することができる。例えば、開閉部材を左右方向へ移動させるだけで換気通路２２を開閉するような開閉機構を採用してもよい。
【００２２】
次に、換気装置１及び下複合板ガラス１２０の支持構造について説明するに、まず換気装置１の上部の支持構造を説明する。図２及び図１１〜図１３に示すように、装置本体２の上面には、上方に向かって突出する一対の突出板部２３Ａ，２３Ｂが設けられている。一対の突出板部２３Ａ，２３Ｂは、装置本体２の左右方向の一端から他端まで延びている。しかも、一対の突出板部２３Ａ，２３Ｂは、室内外方向へ互いに離間し、かつ同方向に対向して配置されている。
【００２３】
図２に示すように、中間框１０５の下端面の室外Ｏ側の端部には、下方に向かって突出する挟持板部１０５ａが形成されている。一方、中間框１０５の室内Ｉ側の端部には、上押縁１４１が着脱可能に設けられている。そして、挟持板部１０５ａが突出板部２３Ａの室外Ｏ側の面にシール部材１６１を介して押圧接触させられるとともに、上押縁１４１の下端部が突出板部２３Ｂの室内Ｉ側の面にスペーサ１６２を介して押圧接触させられている。つまり、一対の突出板部２３Ａ，２３Ｂが挟持板部１０５ａと上押縁１４１とによりシール部材１６１及びスペーサ１６２を介して挟持されている。これにより、装置本体２の上端部が、中間框１０５に支持されている。
【００２４】
ここで、挟持板部１０５ａ、シール部材１６１及び上押縁１４１は、換気装置１が取り付けられていない扉、つまり下複合板ガラス１２０を挟持板部１０５ａ、シール部材１６１及び上押縁１４１によって挟持するようにした扉のものと同一のものが用いられている。しかるに、突出板部２３Ａの室外Ｏ側を向く面は、下複合板ガラス１２０の室外Ｏ側を向く面と室内外方向において同一位置に位置させられているが、突出板部２３Ｂの室内Ｉ側を向く面は、下複合板ガラス１２０の室内Ｉ側を向く面より所定距離だけ室外Ｏ側に位置させられている。その結果、突出板部２３Ａの室外Ｏ側を向く面と、突出板部２３Ｂの室内Ｉ側を向く面との間の距離（以下、このような距離を外法距離という。）は、下複合板ガラス１２０の厚さより小さくなっている。これに対応するために、突出板部２３Ｂと上押縁１４１との間にスペーサ１６２が用いられているのである。突出板部２３Ａ，２３Ｂの外法寸法は、下複合板ガラス１２０の厚さと同一にしてもよい。その場合には、スペーサ１６２が不要である。突出板部２３Ａ，２３Ｂの外法寸法は、下複合板ガラス１２０の厚さより大きくしてもよい。その場合には、挟持板部１０５ａと上押縁１４１との少なくとも一方の形状、寸法が適宜変更される。
【００２５】
次に、説明の便宜上、下複合板ガラス１２０の支持構造について説明する。図２及び図１１に示すように、装置本体２の室外Ｏ側の端部には、下方に突出する挟持板部２１ｄが形成されている。挟持板部２１ｄは、装置本体２の左右方向の一端から他端まで延びている。一方、装置本体２の室内Ｉ側の端部には、左右方向に長い押縁２５が着脱可能に設けられている。押縁２５は、左右方向の長さが装置本体２の長さと同一になっており、左右方向において装置本体２と同一位置に配置されている。
【００２６】
挟持板部２１ａは、複合板ガラス１２０の上端部の室外Ｏ側を向く面にシール部材１６３を介して押圧接触させられている。押縁２５の下端部は、複合板ガラス１２０の上端部の室内Ｉ側を向く面に後付けビード１７１を介して押圧接触させられている。つまり、複合板ガラス１２０の上端部が、挟持板部２１ｄ及び押縁２５によりシール部材１６３及び後付けビード１７１を介して挟持されている。これにより、複合板ガラス１２０の上端部が装置本体２に支持されている。
【００２７】
図２に示すように、複合板ガラス１２０の下端部は、下框１０２に支持板１７２を介して載置され、複合板ガラス１２０が下框１０２によって支持されている。下框１０２の室外Ｏ側の端部には、上方に向かって突出する挟持板部１０２ａが形成されている。一方、下框１０２の室内Ｉ側の端部には、下押縁１４２が着脱可能に設けられている。そして、挟持板部１０２ａの上端部が複合板ガラス１２０の下端部の室外Ｏ側を向く面にシール部材１６４を介して押圧接触させられるとともに、下押縁１４２の上端部が複合板ガラス１２０の下端部の室内Ｉ側を向く面に後付けビード１７１を介して押圧接触させられている。つまり、複合板ガラス１２０の下端部が、挟持板部１０２ａ及び下押縁１４２により、シール部材１６４及び後付けビード１７１を介して挟持されている。このようにして、複合板ガラス１２０の下端部が下框１０２によって支持されている。
【００２８】
複合板ガラス１２０の左端部及び右端部は、複合板ガラス１２０の下端部と同様にして挟持されている。すなわち、図５に示すように、複合板ガラス１２０の左端部は、左縦框１０３の挟持板部１０３ａ及び左押縁１４３によりシール部材１６５及び後付けビード１７１を介して挟持されており、複合板ガラス１２０の右端部は、図６に示すように、右縦框１０４の挟持板部１０４ａ及び右押縁１４４によりシール部材１６６及び後付けビード１７１を介して挟持されている。
【００２９】
複合板ガラス１２０の上記挟持構造から明らかなように、複合板ガラス１２０の室内Ｉ側を向く面と押縁２５，１４２〜１４４との間には、後付けビード１７１が全周にわたって設けられている。
【００３０】
装置本体２の左右の両端部は、次のようにして左右の縦框１０３，１０４の上端部に支持されている。装置本体２の左端部の支持構造について説明すると、図３に示すように、左側に配置された蓋部材３の左縦框１０３と対向する端面には、左縦框１０３側に向かって突出する一対の突出板部３１Ａ，３１Ｂが形成されている。一対の突出板部３１Ａ，３１Ｂは、装置本体２の上面から下方へ向かって延びており、一対の突出板部３１Ａ，３１Ｂの下端部は、装置本体２の下面より所定距離だけ上側に位置させられている。これは、突出板部３１Ａ，３１Ｂの下端部が、後付けビード１７１に干渉することを防止するためである。一対の突出板部３１Ａ，３１Ｂは、左右方向へ互いに離間し、同方向に対向して配置されている。
【００３１】
室外Ｏの突出板部３１Ａの室外Ｏ側を向く面は、下複合板ガラス１２０の室外Ｏ側を向く面と室内外方向において同一位置に配置されている。したがって、突出板部３１Ａは、左框１０３の挟持板部１０３ａにシール部材１６５を介して押圧接触させられている。一方、室内Ｉ側の突出板部３１Ｂの室内Ｉ側を向く面は、下複合板ガラス１２０の室内Ｉ側を向く面より所定距離だけ室外Ｏ側に配置されている。この結果、突出板部３１Ａ，３１Ｂの外法寸法が下複合板ガラス１２０の厚さより小さくなっており、その寸法の差の分だけ突出板部３１Ｂと左押縁１４３との間に隙間が形成される。この隙間には、パッキン１７３及びスペーサ８が室外Ｏ側から室内Ｉ側へ向かって順次配置されている。そして、左押縁１４３が突出板部３１Ｂにスペーサ８及びパッキン１７３を介して押圧接触させられている。つまり、突出板部３１Ａ，３１Ｂが、挟持板部１０３ａ及び左押縁１４３によりシール部材１６５並びにパッキン１７３及びスペーサ８を介して挟持されている。これにより、装置本体２の左端部が、左框１０３によって支持されている。
【００３２】
図示していないが、装置本体２の右端部も、左端部と同様にして右框１０４に支持されている。すなわち、右框１０４の挟持板部１０４ａ及び右押縁１４４（いずれも図６参照）により、シール部材１０６並びにパッキン１７３及びスペーサ８´を介して挟持されている。これにより、装置本体２の右端部が右框１０４によって支持されている。なお、装置本体２の右端部の支持構造は、左端部の支持構造と左右対称であり、スペーサ８´もスペーサ８と左右対称である。そこで、装置本体２の右端部の支持構造についてはその説明を省略する。
【００３３】
パッキン１７３は、弾性変形量が小さい硬質のゴム等の樹脂によって構成されており、左押縁１４３によって突出板部３１Ｂに押圧固定されている。パッキン１７３は、突出板部３１Ｂに接着固定してもよい。また、パッキン１７３は、必ずしも設ける必要がない。パッキン１７３を設けない場合には、突出板部３１Ｂがパッキン１７３の厚さの分だけ室内Ｉ側に配置され、スペーサ８（８´）の第２板部８２が突出板部３１Ｂに直接押圧接触させられる。
【００３４】
スペーサ８は、硬質の樹脂を成形してなるものであり、図１４〜図１９に示すように、長手方向を上下方向に向けて配置されている。スペーサ８は、幅方向を室内外方向に向けた第１板部８１と、この第１板部８１の室外Ｏ側の端部から左方へ向かって直角に突出する第２板部８２と、第１板部８１の室内Ｉ側の端部から右方へ向かって直角に突出する化粧板部８３とを有している。
【００３５】
図３に示すように、第１板部８１は、蓋部材３の左端面（左縦框１０３と対向する端面）の室内Ｉ側の端部と左押縁１４３との間にほとんど隙間無く挿入され、蓋部材３と左押縁１４３との間の空間を埋めている。これにより、換気装置１の美観の向上が図られている。しかも、蓋部材３と左押縁１４３との間に隙間が形成されていると、装置本体２が隙間の分だけ左右方向へ移動可能になるため、換気装置１が左右方向にがたつくという問題があるが、隙間を第１板部８１によって埋めることにより、そのような問題が未然に防止されている。
【００３６】
第２板部８２は、パッキン１７３と左押縁１４３との間に圧入状態で挿入されている。つまり、第２板部８２は、左押縁１４３によりパッキン１７３に押し付けられ、ひいては突出板部３１Ｂに押し付けられている。この結果、突出板部３１Ａ，３１Ｂが挟持板部１０３ａと左押縁１４３とにより、シール部材１６５並びにパッキン１７３及び第２板部８２を介して挟持されている。なお、第２板部８２の上下の両端部は、所定の長さだけ切りかかれている。これは、図１９に示すように、第２板部８２の上端部及び下端部が装置本体２及び後付けビード１７１に干渉することを防止するためである。
【００３７】
ここで、左押縁１４３を蓋部材３に直接押し付けるならば、第１板部８１が不要である。同様に、左押縁１４３をパッキン１７３（パッキン１７３が設けられない場合には、突出板部３１Ｂ）に直接押し付けるならば第２板部８２が不要である。しかし、左押縁１４３の左縦框１０３に対する取付構造の関係上、第１板部８１及び第２板部８２が必須である。
【００３８】
すなわち、図４において想像線で示すように、左押縁１４３は、正規の取付姿勢に対して傾斜した状態で左縦框１０３と蓋部材３との間に矢印Ａで示すように装置本体２側から左縦框１０３側へ向かって斜め方向に挿入される。左押縁１４３が左縦框１０３と蓋部材３との間の実線で示す所定の取外し位置に挿入されると、左押縁１４３の室外Ｏ側でかつ左縦框１０３側の端部に形成された第１係合部１４３ａが左縦框１０３に係合する。この第１係合部１４３ａの左縦框１０３に対する係合箇所を回転中心として左押縁１４３が突出板部３１Ｂから室内I側へ離間するように、矢印Ｂ方向へ回転させられると、左押縁１４
３に形成された第２係合部１４３ｂが左縦框１０３に突き当たり、左押縁１４３がそれ以上矢印Ｂ方向へ回転することができなくなる。このときの左押縁１４３の位置が正規の取付位置であり、左押縁１４３が正規の取付姿勢になっている。正規の位置に取り付けられた左押縁１４３は、矢印Ｂ方向と逆方向へ回転することができるだけであり、室外Ｏ側から室内Ｉ側へ向かう方向及び蓋部材３から左縦框１０３へ向かう方向へ移動不能である。したがって、左押縁１４３をパッキン１７３及び蓋部材３に押し付けることにより、装置本体３を強固に位置固定することができる。しかも、左押縁１４３は、取外し位置まで挿入した後、取付位置まで回転させるだけで左縦框１０３に取り付けることができ、左押縁１４３の左縦框１０３に対する取付を容易に行うことができる。勿論、左押縁１４３を取付位置から取外し位置まで回転させた後、矢印Ａ方向と逆方向へ移動させることにより、左押縁１４３を左縦框１０３から取外すことができる。
【００３９】
このような取付、取外し方法は、他の押縁１４１，１４２，１４４についても採用されている。ただし、長手方向を上下方向に向けた左右の押縁１４３，１４４が取付位置と取外し位置との間を水平方向に回転するのに対し、長手方向を左右方向に向けた上下の押縁１４１，１４２は、取付位置と取外し位置との間を上下方向に回転させられる。なお、押縁２５の取付、取外し方法は後述する。
【００４０】
左押縁１４３を左縦框１０３に対し上記のようにして取り付けた場合には、左押縁１４３の左框１０３に対する取付を容易に行うことができる反面、左押縁１４３と蓋部材３及びパッキン１７３との各間に隙間が生じてしまう。これは、左押縁１４３が取外し位置に位置しているときには、その姿勢が取付位置に位置しているときの姿勢に対し傾斜している関係上、左押縁１４３が蓋部材３及びパッキン１７３に対し取付位置に位置しているときよりも接近しているからである。そこで、左押縁１４３と蓋部材３との間に第１板部８１が挿入されるとともに、左押縁１４３とパッキン１７３との間に第２板部８２が挿入されているのである。これにより、左押縁１４３の左縦框１０３に対する取付、取外しの容易性及び支持の確実性を確保しつつ、換気装置１の美観の向上及びがたつきの防止が果たされている。これは、右押縁１４４についても同様であり、右押縁１４４と右側の蓋部材３及びパッキン１７３との間の構造は、左押縁１４３と左側の蓋部材３及びパッキン１７３との間の構造と左右対称である。
【００４１】
なお、第１及び第２板部８１，８２は、後付けビード１７１が各押縁２５，１４２〜１４４に取り付けられる前に、押縁１４３と下複合板ガラス１２０に第２板部８２が挿入され、その状態で上方へ所定の位置まで移動させられることにより、押縁１４３と蓋部材３及びパッキン１７３との各間に第１及び第２板部８１，８２がそれぞれ挿入される。
【００４２】
また、押縁２５の装置本体２に対する取付構造、及び押縁１４２，１４４の框１０２，１０４に対する取付構造が、左押縁１４３の左框１０３に対する取付構造と同様であるから、押縁２５及び押縁１４２，１４４と下複合板ガラス１２０との間にも隙間が生じるはずであるが、その隙間はシール部材１６３〜１６６及び後付けビード１７１の弾性変形によって吸収されるので問題にならない。
【００４３】
図３に示すように、化粧板部８３は、蓋部材３のうちの、装置本体２と左押縁１４３との間から室内Ｉに露出する部分を覆っている。ただし、図１と図７との比較から明らかなように、蓋部材３の上部は、上押縁１４１によって覆われている。そこで、化粧板部８３は、蓋部材３のうちの上押縁１４１より下側の部分だけを覆っており、化粧板部８３の上端面が上押縁１４１の下端面に突き当たっている。これによって、スペーサ８（８´）の上下方向の取付位置が定められている。
【００４４】
図１１に示すように、押縁２５の上面の室内Ｉ側の端部には、上方に突出する化粧板部２５ａが押縁２５と一体に形成されている。化粧板部２５ａは操作窓孔２３を除き装置本体２の室内Ｉに臨む面（上押縁１４１によって覆われている部分を除く）を覆っている。これにより、換気装置１の美観の向上が図られている。
【００４５】
装置本体２の内壁部２１Ｂの下端部及び上端部には、室内Ｉ側に突出する突出板部２１ｅ，２１ｆが形成されている。突出板部２１ｅ，２１ｆは、装置本体２の全長にわたって延びており、内壁部２１Ｂ及び化粧板部２５ａと協働して空気室２２Ｃを形成している。空気室２２Ｃは、装置本体２の全長にわたって延びている。空気室２２Ｃの両端部は、蓋部材３，３によって閉じられている。これによって、空気室２２Ｃが外部に対して密封された空間になっている。空気室２２Ｃが形成された結果、この換気装置１では、室外側空間２２Ａ、室内側空間２２Ｂ及び空気室２２Ｃの三つの空間が室内外方向に並んで形成されるので、従来の換気装置に比して断熱効果を格段に向上させることができる。
【００４６】
空気室２２Ｃは、内壁部２１Ｂに形成された多数の貫通孔２１ｂを介して室内側空間２２Ｂに連通されている。その一方、空気室２２Ｃは、化粧板部２５ａに形成された貫通孔２５ｂを介して室内Ｉに連通されている。したがって、室外Ｏ及び室内Ｉの空気は、換気通路２２並びに空気室２２Ｃ及び貫通孔２５ｂを介して流通することになり、空気室２２Ｃ及び貫通孔２５ｂは、実質的には換気通路２２を延長した一部を構成する。
【００４７】
化粧板部２５ａの室内Ｉに臨む面には、収容部２５ｃが形成されている。この収容部２５ｂは、全貫通孔２１ｂを囲むように配置されている。収容部２５ｃには、フィルタ９が着脱可能に取り付けられている。フィルタ９は、全ての貫通孔２５ｂを覆っている。フィルタ９は、内壁部２１Ｂに設け、貫通孔２１ｂを覆うようにしてもよい。
【００４８】
押縁２５は、次のようにして装置本体２に着脱可能に取り付けられている。すなわち、押縁２５は、図１２に示すように、上方へ向かうにしたがって室内Ｉに突出するように傾斜させられ、その状態で図１２の矢印で示すように、押縁２５の上端部（化粧板部２５ａを除く部分の上端部）が装置本体２の下端部に斜め下方から上向きに挿入され、その後上方へ移動させられる。あるいは、上方へ移動させた後、室内Ｉ側へ移動させてもよい。いずれにしても、押縁２５の上面に形成された段部２５ｄを突出板部２１ｅの先端部下面に形成された突出片２１ｇの先端部に突き当てる。そして、段部２５ｄと突出片２１ｇとの接触部を中心として押縁２５を図１２の反時計方向へ回転させ、押縁２５の上端部を室外Ｏ側へ移動させる。押縁２５が図１１に示す所定の取付位置まで回転すると、化粧板部２５ａの室外Ｏ側の面の上端部に形成された係合片部２５ｅが、突出板部２１ｆの下面に形成された突出部２１ｈを弾性変形して乗り越え、図１１に示すように、係合片部２５ｅが突出部２１ｈに係合する。これによって、押縁２５が取付位置から反時計方向へ回転することが阻止される。しかも、このときには、押縁２５の上端部の室外Ｏ側の端部が、突出板部２１ｅの下面に形成された載置部２１ｉに載る。これにより、押縁２５が装置本体２に取り付けられている。勿論、上記と逆の手順を採用することにより、押縁２５を装置本体２から取外すことができる。
【００４９】
上記構成の換気装置１を扉１００の下窓孔１０７に取り付ける場合には、まず、図２０〜図２２に示すように、上押縁１４１を中間框１０５の下部に取り付ける。なお、図２３に示すように、下框１０２には支持板１７２を予め取り付けておく。次に、図２５及び図２６に示すように、押縁２５が取り付けられていない換気装置１を下窓孔１０７内に挿入し、さらに上方へ移動させる。これにより、突出板部２４Ａ，２４Ｂ及びスペーサ１６２を挟持板部１０５ａと上押縁１４１との間に挿入する。その後、下複合板ガラス１２０を換気装置１より下側の下窓孔１０７に挿入する。
【００５０】
次に、図２７に示すように、換気装置１に押縁２５を装着し、下複合板ガラス１２０の上端部を換気装置１に取り付ける。その後、下押縁１４２を下框１０２に取り付け、複合板ガラス１２０の下端部を下框１０３に取り付ける。その後、左右の押縁１４３，１４４を左右の縦框１０３，１０４にそれぞれ取り付け、下複合板ガラス１２０の左右の端部を左右の縦框１０３，１０４にそれぞれ取り付ける。
【００５１】
次に、図２８に示すように、スペーサ８，８´を左右の押縁１４３，１４４と換気装置１の左右の端部との各間に取り付ける。その後、図２９に示すように、押縁２５及び押縁１４２〜１４４と下複合板ガラス１２０の上下左右の各端部との間に、後付けビード１７１を圧入する。これにより、換気装置１の扉１００への取付が完了する。
【００５２】
換気装置１を扉１００から取り外す場合には、上記と逆の手順を採用すればよい。すなわち、まず後付けビード１７１を各押縁２５，１４２〜１４４から取り外す。次に、スペーサ８，８´を取り外す。その後、左右の縦押縁１４３，１４４を取り外し、続いて押縁２５及び下押縁１４２を取り外す。その後、複合板ガラス１２０を取り外す。最後に、換気装置１を扉１００から取り外す。
【００５３】
上記構成の換気装置１によれば、押縁２５の上端部に化粧板部２５ａを一体に形成し、この化粧板部２５ａによって装置本体２の室内Ｉ側を向く面を覆っているから、装置本体２の下端部と押縁２５の上端部との間に水平方向に延びる隙間が形成されることがない。したがって、換気装置１の美観を向上させることができる。しかも、清掃時の水が装置本体２と押縁２５との間に入り込むことがないので、カビの発生を防止することができる。したがって、カビの除去に要する手間を無くすことができるのみならず、換気装置１の美観の低下をより一層確実に防止することができる。さらに、押縁２５を模様や色彩が異なる他の押縁２５と交換することにより、換気装置１の室内に臨む面の模様や色彩を変えることができる。
【００５４】
また、化粧板部２５ａと内壁部２１Ｂとの間に空気室２２Ｃが形成されているので、換気装置１の断熱効果を向上させることができる。特に、この実施の形態においては、室外側空間２２Ａ、室内側空間２２Ｂ及び空気室２２Ｃが室内外方向に並んで順次配置されているから、換気装置１の断熱効果を格段に向上さることができる。
【００５５】
さらに、この実施の形態では、左右の押縁１４３，１４４を傾斜させた状態で左右の縦框１０３，１０４に挿入した後、正規の取付位置に回転させることによって左右の押縁１４３，１４４を左右の縦框１０３，１０４にそれぞれ取り付けるようにしているので、左右の押縁１４３，１４４を左右の縦框１０３，１０４に容易に取り付けることができる。しかも、換気装置１の左右の両端部と左右の押縁１４３，１４４との各間に形成される隙間にスペーサ８，８´を挿入しているので、美観が損なわれるような事態を防止することができるとともに、換気装置１ががたつくことを防止することができる。
【００５６】
図３０及び図３１は、この発明の第２実施の形態を示す。この実施の形態の換気装置１´においては、押縁２５を装置本体２に対し室内外方向へ向かって水平に移動させることにより、押縁２５を装置本体２に取り付け、また取り外すことができるようになっている。すなわち、装置本体２の内壁部２１Ｂの上端部には、室内Ｉ側に向かって開放された上係合凹部２１ｅが形成されている。この係合凹部２１ｅの上方を向く面の室内Ｉ側の端部には、上方へ向かって突出する係合突起２１ｆが形成されている。内壁部２１Ｂの下端部には、室内Ｉ側へ向かって開放された下係合凹部２１ｇが形成されている。この下係合凹部２１ｇの下方を向く面の室内側の端部には、下方に向かって突出する係合突起２１ｈが形成されている。
【００５７】
一方、押縁２５の装置本体２と対向する室外Ｏ側の面の上端部及び上下方向の中間部には、上係合突出部２５ｅ及び下係合突出部２５ｆがそれぞれ形成されている。上係合突出部２５ｅは、鉤状をなしており、室内Ｏ側へ突出した後、下方へ向かって突出させられている。下係合突出部２５ｆの上面には、上方へ向かって突出する係合突起２５ｇが形成されている。このような構造を有する押縁２５は、アルミニウムの押出し型材によって形成することも可能であるが、樹脂の押出し型材によって形成することが望ましい。そのようにすれば、押縁２５の断熱性が向上する結果、押縁２５表面の結露を減少させることができるからである。しかも、押縁２５を廃棄する際に、分別し易くなるというメリットがある。
【００５８】
押縁２５を装置本体２に取り付ける場合には、図３１に示すように、上係合突出部２５ｅ及び下係合突出部２５ｆを上係合凹部２１ｅ及び下係合凹部２１ｇとそれぞれ対向させる。押縁２５を室外Ｏ側へ向かって水平に移動させ、装置本体２に接近させる。すると、上係合突出部２５ｅ及び下係合突出部２５ｆが、上係合凹部２１ｅ及び下係合凹部２１ｇにそれぞれ入り込む。そして、下係合突出部２５ｆが下係合凹部２１ｇの上方を向く側面に形成された突起２１ｑ上を摺動する。なお、突起２１ｑを形成することなく、下係合突出部２５ｆを下係合凹部２１ｇの上方を向く側面上を直接摺動させてもよい。上係合突出部２５ｅ及び下係合突出部２５ｆが、上係合凹部２１ｅ及び下係合凹部２１ｇにそれぞれ所定距離だけ入り込むと、上係合突出部２５ｅが係合突起２１ｆに突き当たるとともに、係合突起２５ｇが係合突起２１ｈに突き当たる。押縁２５を室外Ｏ側へさらに移動させると、装置本体２及び押縁２５が弾性変形することにより、上係合突出部２５ｅが係合突起２１ｆを乗り越えるとともに、係合突起２５ｇが係合突起２１ｈを乗り越える。すると、上係合突出部２５ｅが係合突起２１ｆに係合するとともに、係合突起２５ｇが係合突起２１ｈに係合することにより、押縁２５が装置本体２に室内Ｉ側へ移動不能に係止される。しかも、上係合突出部２５ｅ及び係合突起２５ｇが係合突起２１ｆ，２１ｈを乗り越えるのとほとんど同時に、上係合突出部２５ｅが装置本体２に突き当たり、押縁２５が装置本体２に対して室外Ｏ側へ移動不能になる。これにより、押縁２５が装置本体２に取り付けられる。
【００５９】
押縁２５を装置本体２から取り外す場合には、押縁２５を所定の大きさの以上の力で室内Ｉ側へ引っ張る。すると、装置本体２及び押縁２５が弾性変形することにより、上係合突出部２５ｅが係合突起２１ｆを乗り越えるとともに、係合突起２５ｇが係合突起２１ｈを乗り越える。これにより、押縁２５を装置本体２から取り外すことができる。
【００６０】
また、この実施の形態においては、下複合板ガラス１２０に代えて下複合板ガラス１２０´が用いられている。下複合板ガラス１２０´は、室内外方向に離間対向して配置された２枚の板ガラス１２７，１２７と、この２枚の板ガラス１２７，１２７の互いに対向する面の周縁部に沿って環状に設けられたスペーサ１２８とからなるものであり、スペーサ１２８が板ガラス１２７，１２７に固着されている。これにより、下複合板ガラス１２０´全体が一体化されている。
【００６１】
室外Ｏ側の板ガラス１２７は、装置本体２の挟持板部２１ｄにシリコン樹脂Ｓによって接着されている。室内Ｉ側の板ガラス１２７は、押縁２５の下端部に形成された弾性片２５ｈによって室外Ｏ側へ向かって付勢されている。しかも、押縁２５の室外Ｏ側を向く面の下端部には、室外Ｏ側へ突出する突出部２５ｉが形成されており、この突出部２５ｉが室内Ｉ側の板ガラス１２７にほぼ接触している。したがって、下複合板ガラス１２０´は、装置本体２及び押縁２５により室内外方向へほとんどガタなく挟持されている。
【００６２】
下複合板ガラス１２０´を装置本体２に取り付ける際には、まず挟持板部２１ｄにその全周にわたってシリコン樹脂Ｓを塗布する。その後、下複合板ガラス１２０´を室内Ｉ側から室外Ｏ側へ向かって水平に移動させ、下複合板ガラス１２０´を挟持板部２１ｄにシリコン樹脂Ｓを介して押し付ける。ここで、下複合板ガラス１２０´を水平方向へ移動させて挟持板部２１ｄに押し付けた場合には、シリコン樹脂にムラが生じることを防止することができる。すなわち、従来のように、下複合板ガラス１２０´を挟持板部２１ｄに接触させた状態でその下側から上側へ移動させて、挟持板部２１ｄと押縁２５との間に挿入するようにした場合には、シリコン樹脂Ｓが板ガラス１２７に引きずられるため、シリコン樹脂にムラが生じてしまう。しかるに、この実施の形態では、シリコン樹脂Ｓに板ガラス１２７が押し付けられるだけであるから、シリコン樹脂Ｓにムラが生じることがない。したがって、挟持板部２１ｄと板ガラス１２７間の気密性及び水密性を高度に、かつ良好な状態にすることができる。
【００６３】
下複合板ガラス１２０´を挟持板部２１ｄにシリコン樹脂Ｓを介して押し付けたら、押縁２５を上記のようにして装置本体２に取り付ける。このとき、押縁２５が水平方向へ移動させられるだけであるから、押縁２５の装置本体２への取付時に下複合板ガラス１２０´が上下方向へ移動させられることがない。したがって、シリコン樹脂Ｓをムラがない状態に維持することができる。しかも、押縁２５を装置本体２に対して水平方向へ接近移動させるだけであるから、下複合板ガラス１２０´の取付を容易に行うことができる。
【００６４】
なお、この実施の形態においては、装置本体２に隔壁部２１Ｃが形成されていないが、前述した第１実施の形態と同様に、装置本体２に隔壁部２１Ｃを形成してもよい。また、装置本体２と押縁２５との間に室内外方向の幅の狭い空気室２２Ｃが形成されているが、空気室２２Ｃの幅の広い空気室２２Ｃを形成してもよい。さらに、開閉部材４に代えて開閉部材４´が用いられている。開閉部材４´は、長手方向を左右方向に向けた長方形の板体からなるものであり、装置本体２に左右方向へのみ移動可能に設けられている。開閉部材４´には、多数の貫通孔４１ａが形成されている。貫通孔４１ａは、装置本体２の貫通孔２１ａと同一形状、同一大きさを有しており、貫通孔２１ａと同一のピッチで配置されている。開閉部材４´を所定の位置に移動させて貫通孔４１ａを貫通孔２１ａと対向させると、貫通孔２１ａが開かれ、ひいては換気通路２２が開かれる。その状態から開閉部材４´を貫通孔４１ａの半ピッチだけ移動させると、貫通孔２１ａが開閉部材４´によって閉じられ、ひいては換気通路２２が閉じられる。
【００６５】
図３２は、押縁２５の装置本体２への取付態様の変形例を示すものである。この変形例では、装置本体２の内壁部２１Ｂの上端部及び下端部に上方へ突出する突出板部２１ｉ，２１ｊがそれぞれ形成されており、各突出板部２１ｉ，２１ｊの室外Ｏ側を向く面の上端部には、室外Ｏ側へ向かって突出する係合突起２１ｋ，２１ｌがそれぞれ形成されている。一方、押縁２５の室外Ｏ側の上端部及び中間部には、下方に向かって開放された係合凹部２５ｊ，２５ｋがそれぞれ形成されている。各係合凹部２５ｊ，２５ｋの室内Ｉ側を向く面の下端部には、室内Ｉ側へ向かって突出する係合突起２５ｌ，２５ｍが夫々形成されている。
【００６６】
押縁２５を装置本体２に取り付ける場合には、突出板部２１ｉ，２１ｊの上方に係合凹部２５ｊ，２５ｋが位置するように押縁２５を配置する。その後、押縁を下方へ移動させる。すると、突出板部２１ｉ，２１ｊが係合凹部２５ｊ，２５ｋ内にそれぞれ入り込み、係合突起２１ｋ，２１ｌが係合突起２５ｌ，２５ｍにそれぞれ突き当たる。押縁２５をさらに下方へ移動させると、押縁２５が弾性変形し、係合突起２５ｌ，２５ｍが係合突起２１ｋ，２１ｌをそれぞれ乗り越える。これにより、押縁２５が装置本体２に上方へ移動不能に係止される。しかも、係合突起２５ｌ，２５ｍが係合突起２１ｋ，２１ｌをそれぞれ乗り越えるのとほぼ同時に、押縁２５と装置本体２とが上下方向に互いに突き当たり、押縁２５が装置本体２に対して下方へ移動不能になる。また、突出板部２１ｉ，２１ｊが係合凹部２５ｊ，２５ｋに入り込むことにより、押縁２５が装置本体２に室内外方向へ移動不能に係止される。このようにして押縁２５が装置本体２に取り付けられる。勿論、押縁２５を所定の大きさ以上の力で上方へ引き上げることにより、押縁２５を装置本体２から取り外すことができる。
【００６７】
図３３は、押縁２５の装置本体２への取付態様の他の変形例を示すものである。この変形例では、装置本体２の内壁部２１Ｂの上端部及び下端部に下方へ向かって突出する突出板部２１ｍ，２１ｎがそれぞれ形成されており、各突出板部２１ｍ，２１ｎの室外Ｏ側を向く面の下端部には、室外Ｏ側へ向かって突出する係合突起２１ｏ，２１ｐがそれぞれ形成されている。一方、押縁２５の室外Ｏ側の上端部及び中間部には、上方に向かって開放された係合凹部２５ｎ，２５ｏがそれぞれ形成されている。係合凹部２５ｎ，２５ｏの室内Ｉ側を向く面の上端部には、室内Ｉ側へ向かって突出する係合突起２５ｐ，２５ｑがそれぞれ形成されている。
【００６８】
押縁２５を装置本体２に取り付ける場合には、係合凹部２５ｎ，２５ｏが突出板部２１ｍ，２１ｎの下側に位置するように押縁２５を配置する。その後、押縁２５と装置本体２とが突き当たるまで押縁２５を上方へ移動させる。すると、押縁２５が装置本体２に対して上方へ移動不能になるとともに、係合突起２１ｏ，２１ｐと係合突起２５ｐ，２５ｑとが係合することによって押縁２５が装置本体２に対して下方へ移動不能になる。また、突出板部２１ｍ，２１ｎが係合凹部２５ｎ，２５ｏに入り込むことにより、押縁２５が装置本体２に対して室内外方向へ移動不能になる。このようにして押縁２５が装置本体２に取り付けられる。押縁２５は、所定の大きさ以上の力で下方へ引き下げることにより、装置本体２から取り外すことができる。
【００６９】
なお、この発明は、上記の実施の形態に限定されるものでなく、その要旨を逸脱しない範囲において各種の変形を採用することができる。
例えば、上記の実施の形態においては、換気装置１の装置本体２が中間框１０５（下複合板ガラス１０９に対しては上框）の一部として用いられているが、装置本体２は、左右の縦框１０３，１０４のいずれか一方の一部として用いることも可能である。その場合には、装置本体２の左右いずれか一方の側面の室内Ｉ側の端部に押縁が着脱可能に設けられる。
【符号の説明】
【００７０】
Ｉ    室内
Ｏ    室外
１    換気装置
１´  換気装置
２    装置本体
２２    換気通路
２２Ｃ    空気室
２５    押縁
２５ａ    化粧板部
２５ｂ    貫通孔
【図１】
0005975626.tif 000002
【図２】
0005975626.tif 000003
【図３】
0005975626.tif 000004
【図４】
0005975626.tif 000005
【図５】
0005975626.tif 000006
【図６】
0005975626.tif 000007
【図７】
0005975626.tif 000008
【図８】
0005975626.tif 000009
【図９】
0005975626.tif 000010
【図１０】
0005975626.tif 000011
【図１１】
0005975626.tif 000012
【図１２】
0005975626.tif 000013
【図１３】
0005975626.tif 000014
【図１４】
0005975626.tif 000015
【図１５】
0005975626.tif 000016
【図１６】
0005975626.tif 000017
【図１７】
0005975626.tif 000018
【図１８】
0005975626.tif 000019
【図１９】
0005975626.tif 000020
【図２０】
0005975626.tif 000021
【図２１】
0005975626.tif 000022
【図２２】
0005975626.tif 000023
【図２３】
0005975626.tif 000024
【図２４】
0005975626.tif 000025
【図２５】
0005975626.tif 000026
【図２６】
0005975626.tif 000027
【図２７】
0005975626.tif 000028
【図２８】
0005975626.tif 000029
【図２９】
0005975626.tif 000030
【図３０】
0005975626.tif 000031
【図３１】
0005975626.tif 000032
【図３２】
0005975626.tif 000033
【図３３】
0005975626.tif 000034